(57)【要約】【課題】薄型化を図る上で有利な表示装置を提供する。【解決手段】表示装置１００は、ディスプレイデバイス１０、リアカバー２０、フィルム３０、充填材４０などを含んでいる。ディスプレイデバイス１０の表示面１２の全域にわたって取着された透明なフィルム３０は、表示面１２の外側に延在しその延在方向の端部である外縁はリアカバー２０の側壁２４に取着されている。フィルム３０の後方でディスプレイデバイス１０と側壁２４との間に形成されている矩形枠状の隙間に充填材４０が充填されている。フィルム３０により表示装置１００の前面が形成されている。【選択図】        図３
2006221058.tif 000002
【特許請求の範囲】
【請求項１】
厚さを有し、厚さ方向の一方に画像を表示する表示面と、前記厚さ方向の他方に背面を有する薄板状のディスプレイデバイスと、
前記ディスプレイデバイスの背面を覆うリアカバーとを備え、
前記リアカバーは、前記背面に取着される後壁と、前記後壁の周囲から前方に向けて起立され前記ディスプレイデバイスの周囲を囲む側壁とを含んで構成された表示装置であって、
前記表示面の全域にわたって透明なフィルムが接着され、
前記フィルムは、前記表示面に接着されたフィルム部分から前記表示面の外側に延在しその延在方向の端部である外縁は前記側壁に取着され、前記フィルムにより前記表示装置の前面が形成されている、
ことを特徴とする表示装置。
【請求項２】
前記側壁は、前端に位置する前端面と、外側方を向いた側面とを有し、前記フィルムは、前記前端面の前方を通り前記側面に取着されていることを特徴とする請求項１記載の表示装置。
【請求項３】
前記フィルムの後方で前記ディスプレイデバイスと前記側壁との間に充填材が充填され、前記充填材は、前記ディスプレイデバイスと前記側壁との間で前記フィルムに当接する前面を有していることを特徴とする請求項１記載の表示装置。
【請求項４】
前記フィルムの後方で前記ディスプレイデバイスと前記側壁との間に充填材が充填され、前記充填材は、前記ディスプレイデバイスと前記側壁との間で前記フィルムに当接する前面を有し、前記表示面の外側に位置する前記フィルム部分に不透明な印刷が施されていることを特徴とする請求項１記載の表示装置。
【請求項５】
前記フィルムは、前記表示面に接着されたフィルム部分と同一面上で前記表示面の外側に延在しその延在方向の端部である外縁は前記側壁に取着されていることを特徴とする請求項１記載の表示装置。
【請求項６】
前記フィルムは、前記表示面に接着された平坦なフィルム部分と、前記フィルム部分から前方に凸の湾曲面で前記表示面の外側に延在する外枠部と、前記外枠部の端部で前記側壁に取着される外縁とで構成されていることを特徴とする請求項１記載の表示装置。
【請求項７】
前記リアカバーは、熱伝導性の高い金属材料で形成され、前記ディスプレイデバイスの背面と前記リアカバーの後壁とは、熱伝導性を有する両面粘着シートにより接着されることで取着されていることを特徴とする請求項１記載の表示装置。
【発明の詳細な説明】
【技術分野】
【０００１】
本発明は表示装置に関する。
【背景技術】
【０００２】
有機ＥＬディスプレイ、プラズマディスプレイや液晶ディスプレイなどの薄板状のディスプレイデバイスを有する表示装置として、ディスプレイデバイスの表示面を覆うフロントカバーと、表示面の反対側を覆うリアカバーとを備えたものがある（特許文献１参照）。
このような表示装置では、フロントカバーに例えば矩形状の窓（開口）を設けておき、この窓の内側からディスプレイデバイスの表示面を前方に露出させている。
【特許文献１】特開平５−１０３２８４号公報
【発明の開示】
【発明が解決しようとする課題】
【０００３】
このような表示装置では、ディスプレイデバイスの表示面のうち外縁に沿った環状の領域にフロントカバーの部分があたかも額縁のように位置しているため、フロントカバー部分と表示面との間に段差が生じ、この段差の分だけフロントカバー部分が表示面の前方にスペースを占有することになり、表示装置がディスプレイデバイスの表示面と直交する方向に占有するスペース、言い換えると、表示装置の厚さ方向の寸法を削減する上で不利があった。
本発明は、このような事情に鑑みなされたもので、その目的は薄型化を図る上で有利な表示装置を提供することにある。
【課題を解決するための手段】
【０００４】
上記目的を達成するために本発明は、厚さを有し、厚さ方向の一方に画像を表示する表示面と、前記厚さ方向の他方に背面を有する薄板状のディスプレイデバイスと、前記ディスプレイデバイスの背面を覆うリアカバーとを備え、前記リアカバーは、前記背面に取着される後壁と、前記後壁の周囲から前方に向けて起立され前記ディスプレイデバイスの周囲を囲む側壁とを含んで構成された表示装置であって、前記表示面の全域にわたって透明なフィルムが接着され、前記フィルムは、前記表示面に接着されたフィルム部分から前記表示面の外側に延在しその延在方向の端部である外縁は前記側壁に取着され、前記フィルムにより前記表示装置の前面が形成されていることを特徴とする。
【発明の効果】
【０００５】
本発明によれば、表示面の全域にわたって取着された透明なフィルムにより表示装置の前面が形成されているので、従来と違って、表示面の外側にフロントカバーが存在せず、表示面と直交する方向に占有する表示装置の厚さ方向の寸法を削減する上で有利となる。
【発明を実施するための最良の形態】
【０００６】
本発明では、ディスプレイデバイスの表示面の全域にわたって透明なフィルムを接着しフィルムの外縁をリアカバーの側壁に取着してフィルムにより表示装置の前面を形成することによって上記目的を実現した。
【実施例１】
【０００７】
以下、本発明による表示装置の実施例を図面に基づいて詳細に説明する。
図１（Ａ）は実施例１の表示装置１００の斜視図、（Ａ）は表示装置１００の側面図、図２は表示装置１００の正面図である。
図３は図２のＡＡ断面図である。
図４は表示装置１００の構成を示すブロック図である。
【０００８】
まず、表示装置１００の制御系について説明すると、図４に示すように、表示装置１００は、ディスプレイデバイス１０に接続されたドライブ回路５０と電源回路５２を備えている。
ドライブ回路５０は外部から供給される信号に基づいて前記駆動信号を生成しディスプレイデバイス１０に供給するものである。ここで外部から供給される信号は、例えば、パーソナルコンピュータの制御部から供給される文字や記号、静止画、動画を示す信号であり、あるいは、ＤＶＤプレーヤーやテレビチューナー、あるいはビデオカメラなどから供給される静止画、動画を示す信号であり、信号を供給する方式は有線、無線を問わない。
電源回路５２は表示装置１００の外部あるいは内部の電源に基づいてディスプレイデバイス１０駆動用の電源およびドライブ回路５０駆動用の電源をそれぞれ生成し、ディスプレイデバイス１０およびドライブ回路５０に供給するものである。なお、電源は、表示装置１００に設けられたバッテリーを利用するものであってもよく、あるいは、有線、無線を問わず外部から電源が供給される方式であってもよい。また、表示装置１００は、上述のように外部の装置から信号を供給されるものの他、例えば、表示装置１００が各種の電子機器（テレビジョン装置やノートパーソナルコンピュータ、あるいは、ＰＤＡや携帯電話機など）に組み込まれている場合にも本発明は適用される。
【０００９】
図３に示すように、表示装置１００は、ディスプレイデバイス１０、リアカバー２０、フィルム３０、充填材４０などを含んでいる。
ディスプレイデバイス１０は、薄い厚さの矩形の薄板状に形成され、厚さ方向の一方に表示面１２が設けられ、前記厚さ方向の他方の面は背面１４となっている。
本実施例では、ディスプレイデバイス１０は有機ＥＬ（Ｅｌｅｃｔｒｏｎｉｃ  Ｌｕｍｉｎｅｓｃｅｎｔ）ディスプレイで構成され、駆動信号に基づいて表示面１２に、静止画あるいは動画、文字や記号などを含む画像を表示するように構成されている。
有機ＥＬディスプレイは、互いに重ね合わされた第１ガラス板１００２および第２ガラス板１００４と、それらの間に設けられた蛍光体や電極などから構成され、前記蛍光体や電極などにより前記画像を表示する表示部１００６が構成されている。
第１ガラス板１００２が表示部１００６と反対側（前方）に臨む面によって表示面１２が構成され、第２ガラス板１００４が表示部１００６と反対側（後方）に臨む面によって背面１４が構成されている。
表示部１００６の電極には、フレキシブル基板１００８を介してドライブ回路５０からの駆動信号が供給されるように構成されている。フレキシブル基板１００８にはドライブ回路５０および電源回路５２を構成する電子部品（チップ部品）が搭載されている。
【００１０】
リアカバー２０は、ディスプレイデバイス１０の背面１４を覆うものであり、背面１４に取着される後壁２２と、後壁２２の周囲から前方に向けて起立されディスプレイデバイス１０の周囲を囲む側壁２４とを含み、その内側にディスプレイデバイス１０が収容される大きさで形成されている。
ディスプレイデバイス１０の背面１４は、図３に一点鎖線で示すように、フレキシブル基板１００８や、ドライブ回路５０および電源回路５２を構成する電子部品を除いた箇所が、熱伝導性を有する両面粘着テープである熱伝導シート１５によりリアカバー２０に取着されている。
側壁２４は、前端に位置する前端面２４０２と、外側方を向いた側面２４０４とを有している。
本実施例では、リアカバー２０は、マグネシウムあるいはアルミニウムなどの熱伝導性の高い金属材料で構成されており、ディスプレイデバイス１０で発生した熱が熱伝導シート１５を介してリアカバー２０によって効率的に放熱されるようになっている。
【００１１】
フィルム３０は透明であり、フィルム３０は表示面１２の全域にわたって透明な両面粘着テープ３００２などにより接着されている。
本実施例では、フィルム３０は、ディスプレイデバイス１０の表示面１２に対する写り込みを防止するためのＡＲ（アンチリフレクション）コーティングが施されたフィルムであり、ＰＥＴ（ポリエチレンテレフタレート）あるいはアクリルあるいはＰＣ（ポリカーボネート）などの合成樹脂材料で形成され、例えば、厚さが０．２ｍｍ程度である。
フィルム３０は、表示面１２に接着されたフィルム３０部分と同一面上で表示面１２の外側に延在しその延在方向の端部である外縁はリアカバー２０の側壁２４２４の前端面２４０２の前方を通り側面２４０４に両面粘着テープ３００４などにより取着されている。これによりフィルム３０により表示装置１００の前面が形成されている。
【００１２】
充填材４０は、フィルム３０の後方でディスプレイデバイス１０と側壁２４との間に形成されている矩形枠状の隙間に充填され、充填材４０はフィルム３０と表示面１２との間への空気の侵入を防止している。
充填材４０は、フィルム３０の後方でディスプレイデバイス１０と側壁２４との間で表示面１２と同一面上を延在する前面４２を有し、フィルム３０により表示装置１００の前面の全域に平坦面が確保されるようにしている。
本実施例では、充填材４０は、ＡＢＳやＰＳなどの合成樹脂材料で構成されている。
また、本実施例では、図１、図２に二点鎖線で示すように、フィルム３０に、充填材４０の前面４２を覆うように不透明な塗料４４が印刷されている。なお、この印刷４４は、表示面１２の有効表示領域の外側から施すようにしてもよい。これらの印刷４４は、側壁２４の内側とディスプレイデバイス１０の外側との間の空間を隠し表示装置１００の美観を高めるためのものである。
【００１３】
本実施例の表示装置１００によれば、表示面１２の全域にわたって取着された透明なフィルム３０は、表示面１２の外側に延在しその延在方向の端部である外縁はリアカバー２０の側壁２４に取着され、フィルム３０により表示装置１００の前面が形成されているので、従来と違って、表示面１２の外側にフロントカバーが存在せず、表示面１２の前方におけるスペースを大きく削減でき、表示装置１００が表示面１２と直交する方向に占有する表示装置１００の厚さ方向の寸法を削減し、表示装置１００の薄型化を図る上で有利となる。
なお、本実施例では、１５インチの表示面１２を有する表示装置１００の厚さを３〜５ｍｍに短縮することが可能となった。
また、表示装置１００の前面がフィルム３０によって形成され、継ぎ目のない単一の面によって構成されているので、表示面１２の外側に枠状のフレームが存在する従来の表示装置と異なった趣きが生じ、購買者の注意を引きつけ購買意欲を喚起することが可能となる。
また、表示面１２の外側から従来の枠状のフレームを取り除くようにしたので、表示装置１００の軽量化を図ることも可能となる。
【実施例２】
【００１４】
次に実施例２について説明する。
図５は実施例２の表示装置１００の断面図である。
実施例２では、表示面１２の外側に位置する充填材４０の前面４２の形状が実施例１と異なっている。
すなわち、実施例２では、充填材４０の前面４２が外方に凸の湾曲面で形成されている。したがって、フィルム３０は、表示面１２に接着された平坦なフィルム部分３０２０と、フィルム部分３０２０から前方に凸の湾曲面で表示面１２の周囲外側に延在する外枠部３０２２と、外枠部３０２２の端部で側壁２４に取着される外縁３０２４とで構成されている。
このような実施例２によっても実施例１と同様な効果が奏される。
【００１５】
なお、フィルム３０の側壁２４への取着は、フィルム３０の熱収縮による溶着や接着剤による接着など従来公知の様々な取り付け方法が採用可能である。
また、実施例では、フィルム３０がＡＲコーティングを施されたものである場合について説明したが、フィルム３０は透明なものであればよく、従来公知の様々なフィルムを採用可能である。
さらに、本発明においてフィルム３０とは、無色透明、有色透明を問わず、また、薄肉の板状部材やシート材などその名称を問わず、従来公知の様々な透明材料を含む。
また、実施例では、ディスプレイデバイス１０が有機ＥＬディスプレイデバイスである場合について説明したが、ディスプレイデバイス１０としてプラズマディスプレイや液晶ディスプレイなどの従来公知の様々な薄板状のディスプレイデバイスを用いることができることは無論である。
【図面の簡単な説明】
【００１６】
【図１】（Ａ）は実施例１の表示装置１００の斜視図、（Ａ）は表示装置１００の側面図である。
【図２】表示装置１００の正面図である。
【図３】図２のＡＡ断面図である。
【図４】表示装置１００の構成を示すブロック図である。
【図５】実施例２の表示装置１００の断面図である。
【符号の説明】
【００１７】
１０……ディスプレイデバイス、１２……表示面、１４……背面、２０……リアカバー、２２……後壁、２４……側壁、３０……フィルム、１００……表示装置。
【図１】
2006221058.tif 000003
【図２】
2006221058.tif 000004
【図３】
2006221058.tif 000005
【図４】
2006221058.tif 000006
【図５】
2006221058.tif 000007